【事件の表示】
　特願２０１３−　５６３３８「積層パッケージの製造システムおよび製造方法」拒絶査定不服審判事件〔平成２６年　９月２９日出願公開、特開２０１４−１８３１６２、請求項の数（４）〕について、次のとおり審決する。
【結　論】
　原査定を取り消す。
　本願の発明は、特許すべきものとする。
【理　由】
第１　手続の経緯
　本願は、平成２５年３月１９日の出願であって、平成２７年７月２日付け拒絶理由通知に対して同年８月３日付けで意見書が提出されたが、平成２８年３月１０日付けで拒絶査定がされ、これに対して、同年６月６日付けで拒絶査定不服審判が請求されたものである。
第２　本願発明
　本願の請求項１ないし４に係る発明（以下、それぞれ「本願発明１」ないし「本願発明４」という。）は、願書に最初に添付された特許請求の範囲の請求項１ないし４に記載された事項により特定される発明であるところ、本願発明３は次のとおりのものである。
「【請求項３】
　ボトムパッケージにトップパッケージを積層して成る積層パッケージを製造する積層パッケージの製造方法であって、
　複数の前記ボトムパッケージを保持したキャリアを光学認識することにより、前記キャリアに形成された代表マークの位置および前記キャリアにおける各ボトムパッケージの個別位置を検出する検査工程と、
　前記個別位置が検出された後の前記キャリアに保持されたボトムパッケージに前記トップパッケージを実装する実装工程とを含み、
　前記検査工程において、前記個別位置の前記代表マークに対する相対位置を各ボトムパッケージ毎に示す位置データを求めて前記実装工程へ転送し、
　前記実装工程において、前記代表マークのみを位置認識した認識結果と前記転送された位置データとに基づいて各ボトムパッケージにトップパッケージを実装することを特徴とする積層パッケージの製造方法。」
第３　原査定の概要
　原査定（平成２８年３月１０日付け拒絶査定）の概要は、次のとおりである。
　本願請求項１ないし４に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
・引用例１：特開２００８−２６３０３９号公報
・引用例２：特開２００９−１４６９６９号公報（周知技術を示す文献）
・引用例３：特開２００５−０９３８３９号公報（周知技術を示す文献）
第４　引用例
（１）原査定で引用された引用例１（特開２００８−２６３０３９号公報）には、図面とともに次の事項が記載されている。なお、下線は当審で付与した。
ア．「【０００１】
　本発明は接続材料塗布装置および半導体装置の製造方法に関し、より詳細には半導体パッケージの接続端子にはんだ接合用の接続材料、たとえばフラックス、はんだペーストまたは銀ペースト等を塗布する接続材料塗布装置およびこの装置を用いて製造する半導体装置の製造方法に関する。」
イ．「【００１８】
　図１（ａ）は、粘着シートキャリア２０をローダーから支持ステージ２２上に搬出してセットした後、粘着シートキャリア２０に半導体パッケージ５０を整列させて配置している状態を示す。
　粘着シートキャリア２０に半導体パッケージ５０をセットする際には、検知部２５により支持ステージ２２上における
粘着シートキャリア２０
を認識し
粘着シートキャリア２０
に半導体パッケージ５０を搭載する
 【００１９】
　
粘着シートキャリア２０の上面に、位置認識用の識別マーク２０ａ、２０ｂを形成し、
識別マーク２０ａ、２０ｂを検知することによって、
粘着シートキャリア２０の位置（X−Y−θ位置）を検知する
　移載ヘッド２６は半導体パッケージ５０が収納されているトレイから、半導体パッケージ５０を粘着シートキャリア２０の所定位置に移載する操作をなす。制御部２７は、検知部２５によって検知された粘着シートキャリア２０の位置に基づいて移載ヘッド２６を制御し、粘着シートキャリア２０上に所定配置で半導体パッケージ５０を移載して配置する。」
ウ．「【００３２】
　図４は、スタック型の半導体装置を製造する場合における次工程を示したもので、粘着シートキャリア２０に支持された半導体パッケージ５０に接続材料６０を供給した後、半導体装置の下段となる
半導体パッケージ５５を各々の半導体パッケージ５０に
搭載した
粘着シートキャリア２０および半導体パッケージ５０の位置はあらかじめ
認識されている
位置データに基づいて
半導体パッケージ５５を搭載
　半導体パッケージ５５を搭載した後、粘着シートキャリア２０に半導体パッケージ５０、５５を支持したままはんだリフロー炉に搬入してはんだリフロー工程を経過させ、
半導体パッケージ５０、５５を一体に接合してスタック型の半導体装置が得られる。
・上記ア及びウによれば、引用例１は、半導体パッケージ５０、５５を一体に接合したスタック型半導体装置の製造方法に関するものである。
・上記イによれば、粘着シートキャリア２０に形成の識別マーク２０ａ、２０ｂを検知することによって、粘着シートキャリア２０の位置を認識し、粘着シートキャリア２０に半導体パッケージ５０を搭載するものである。
・上記ウによれば、半導体パッケージ５５を各々の半導体パッケージ５０に搭載するものである。また、あらかじめ認識されている粘着シートキャリア２０および半導体パッケージ５０の位置データに基づいて半導体パッケージ５５を搭載するものである。
　したがって、上記摘示事項及び図面を総合勘案すると、上記引用例１には次の発明（以下、「引用発明」という。）が記載されているものと認められる。
　「半導体パッケージ５０、５５を一体に接合したスタック型半導体装置を製造する製造方法であって、
　粘着シートキャリア２０に形成の識別マーク２０ａ、２０ｂを検知することによって、該粘着シートキャリア２０の位置を認識し、前記粘着シートキャリア２０に前記半導体パッケージ５０を搭載し、　
　前記半導体パッケージ５５を各々の前記半導体パッケージ５０に搭載し、
　あらかじめ認識されている前記粘着シートキャリア２０および前記半導体パッケージ５０の位置データに基づいて前記半導体パッケージ５５を搭載するスタック型半導体装置の製造方法。」
（２）原査定で引用された引用例２（特開２００９−１４６９６９号公報）には、図面とともに次の事項が記載されている。なお、下線は当審で付与した。
エ．「【００２０】
　次に、
キャリアにセットされた下側パッケージ２０
を
カメラにより撮影し、
撮影画像を画像データ処理して
下側パッケージ２０の位置データを算出する
 【００２１】
　下側パッケージ２０の表面を撮影した画像の画像データをデータ処理する際において、異型パッド２７が検出されるべき位置に接続パッド２６が検出された場合には、
キャリアにセットされている下側パッケージ２０の向きが１８０度回転している
場合
下側ペッケージ２０に上側パッケージ３０を搭載しないようにする
　したがって、上記エによれば、引用例２には、「キャリアにセットされた下側パッケージをカメラにより撮影し、撮影画像を画像データ処理して下側パッケージの位置データを算出する」技術事項、及び「キャリアにセットされている下側パッケージの向きが１８０度回転している場合、下側パッケージに上側パッケージを搭載しないようにする」技術事項が記載されていると認められる。
（３）原査定で引用された引用例３（特開２００５−０９３８３９号公報）には、図面とともに次の事項が記載されている。なお、下線は当審で付与した。
オ．「【要約】
【課題】バンプの形状精度を高めてチップ電極中心と接続バンプ中心との位置ずれを低減するとともに、認識バンプを画像認識する際のコントラストが得やすい電子回路装置の製造方法および電子回路装置を提供する。
【解決手段】一方主面上に電極１１を有する回路素子１０と、一方主面上に設けられた接続バンプ電極２と認識バンプ用電極３とを有する
基板
に
認識バンプ１３
形成する
光学的手段
を用いて
認識バンプ１３の位置を検出
する
【選択図】　図７」
　したがって、上記オによれば、引用例３には、「光学的手段を用いて、基板に形成された認識バンプの位置を検出する」技術事項が記載されていると認められる。
第５　対比・判断
１．本願発明３について
（１）対比
　本願発明３と引用発明とを対比すると次のことがいえる。
ａ．引用発明の「半導体パッケージ５０」、「半導体パッケージ５５」及び「スタック型半導体装置」は、本願発明３の「ボトムパッケージ」、「トップパッケージ」及び「積層パッケージ」にそれぞれ相当するから、引用発明の「半導体パッケージ５０、５５を一体に接合したスタック型半導体装置を製造する方法」は、本願発明３の「ボトムパッケージにトップパッケージを積層して成る積層パッケージを製造する積層パッケージの製造方法」に相当する。
ｂ．引用発明の「粘着シートキャリア２０」及び「識別マーク２０ａ、２０ｂ」は、本願発明３の「キャリア」及び「代表マーク」に相当する。
　よって、引用発明の「粘着シートキャリア２０に形成の識別マーク２０ａ、２０ｂを検知することによって、該粘着シートキャリア２０の位置を認識し」は、本願発明３の「キャリアに形成された代表マークの位置を検出する検査工程」に相当する。
　但し、本願発明３は、「複数の前記ボトムパッケージを保持した」キャリアであり、前記キャリアを「光学認識する」ものであり、「前記キャリアに形成された代表マークの位置および前記キャリアにおける各ボトムパッケージの個別位置」を検出しているのに対し、引用発明は、その旨の特定がされていない。
ｃ．引用発明の「半導体パッケージ５０」は、粘着シートキャリア２０に搭載されるのである。よって、引用発明の「前記半導体パッケージ５５を各々の前記半導体パッケージ５０に搭載し」は、本願発明３の「前記キャリアに保持されたボトムパッケージに前記トップパッケージを実装する実装工程」に相当する。
ｄ.本願発明３は、「前記検査工程において、前記個別位置の前記代表マークに対する相対位置を各ボトムパッケージ毎に示す位置データを求めて前記実装工程へ転送し」、「前記実装工程において、前記代表マークのみを位置認識した認識結果と前記転送された位置データとに基づいて」各ボトムパッケージにトップパッケージを実装するのに対し、引用発明は、その旨の特定がされていない。
　したがって、本願発明３と引用発明とは、次の点で一致ないし相違する。
＜一致点＞
「ボトムパッケージにトップパッケージを積層して成る積層パッケージを製造する積層パッケージの製造方法であって、
　キャリアに形成された代表マークの位置を検出する検査工程と、
　前記キャリアに保持されたボトムパッケージに前記トップパッケージを実装する実装工程とを含み、
　各ボトムパッケージにトップパッケージを実装する積層パッケージの製造方法。」
＜相違点１＞
　検査工程において、本願発明３は、「複数の前記ボトムパッケージを保持した」キャリアを「光学認識する」ことにより、「前記キャリアに形成された代表マークの位置および前記キャリアにおける各ボトムパッケージの個別位置」を検出するのに対し、引用発明は、その旨の特定がされていない。
＜相違点２＞
　検査工程において、本願発明３は、「前記個別位置の前記代表マークに対する相対位置を各ボトムパッケージ毎に示す位置データを求めて前記実装工程へ転送し」ているのに対し、引用発明は、その旨の特定がされていない。
＜相違点３＞
　実装工程において、本願発明３は、「前記代表マークのみを位置認識した認識結果と前記転送された位置データとに基づいて各ボトムパッケージにトップパッケージを実装する」のに対し、引用発明は、その旨の特定がされていない。
（２）相違点についての判断
　上記＜相違点２＞について検討する。
　引用例２，３にも、相違点２に係る「前記検査工程において、前記個別位置の前記代表マークに対する相対位置を各ボトムパッケージ毎に示す位置データを求めて前記実装工程へ転送」することについての記載がない。
  そして、本願発明３は、実装工程においてボトムパッケージの位置認識を個別に行う必要がなく、積層パッケージの製造における生産性を向上させることができるという効果を奏するものである（段落【０００８】参照）。
  よって、引用発明に引用例２及び３に記載された技術的事項を組み合わせたとしても、相違点２に係る発明特定事項を当業者が容易になし得たこととすることはできない。
　なお、原査定では、「引用例１には、前記検知部２５によって検知された粘着シートキャリア２０上における半導体パッケージ５０の位置データにしたがって転写機構部３０と供給機構部４０を制御する（第２３段落）点が記載されていることから、検知部２５は、粘着シートキャリア２０上における半導体パッケージ５０の個別位置を検出する機能を備えるものと認められ、位置データは、個別位置の識別マーク（代表マーク）に対する相対位置を示すデータであると認められる。」としている。
　しかしながら、引用例１の上記イの記載によれば、検知部２５によって検知された粘着シートキャリア２０の位置に基づいて、半導体パッケージ５０を粘着シートキャリア２０上の所定位置に配置するものであるが、検知部２５により検知されるのは、粘着シートキャリア２０の位置のみであり、半導体パッケージ５０の個別位置を検知しているとはいえない。
　したがって、他の相違点について検討するまでもなく、本願発明３は、引用発明及び引用例２，３に記載された技術的事項に基づいて当業者が容易に発明をすることができたものとはいえない。
２．本願発明１について
　本願発明１は、本願発明３に対応するシステム（物の発明）であり、本願発明３の相違点２に対応する発明特定事項を備えるものであるから、本願発明３と同様の理由により、引用発明及び引用例２，３に記載された技術的事項に基づいて当業者が容易に発明できたものとはいえない。
３．本願発明２及び４について
　本願発明２及び４は、本願発明３の相違点２に対応する発明特定事項を備えるものであり、更に他の発明特定事項が限定されたものであるから、引用発明及び引用例２，３に記載された技術的事項に基づいて当業者が容易に発明できたものとはいえない。
第６　むすび
　以上のとおり、本願発明１ないし４は、引用発明及び引用例２，３に記載された技術的事項に基づいて当業者が容易に発明をすることができたものではない。したがって、原査定の理由によっては、本願を拒絶することはできない。
　また、他に本願を拒絶すべき理由を発見しない。
　よって、結論のとおり審決する。